(57)【要約】【課題】購入者が両手を開放して被包装物を快適に持ち運ぶことができる衛生用薄葉紙用フィルム包装袋を提供する。【解決手段】ロール状トイレットペーパ１を包装した包装部１１と、この包装部１１に取り付けた手提げ部２０と、で構成した衛生用薄葉紙用フィルム包装袋１０において、手提げ部２０が、包装部１１に取り付けられる両方の端部２１，２２と、この両方の端部２１，２２間に連ねられた長手部２３とで構成した帯状であり、長手部２３を携帯者の肩などに掛けて両方の端部２１，２２間に挟まれた包装部１１を吊り上げる。【選択図】図１
0003181633.tif 000002
【実用新案登録請求の範囲】
【請求項１】
衛生用薄葉紙を包装した包装部と、この包装部が取り付けられて吊り下げられた手提げ部と、から構成された衛生用薄葉紙用フィルム包装袋において、
前記手提げ部が、前記包装部に取り付けられる両方の端部と、この両方の端部間に連ねられた長手部と、から構成された帯状であり、
前記長手部が携帯者の首または肩に掛けられて、前記両方の端部の間に挟まれた前記包装部が吊り下げられる、
ことを特徴とする衛生用薄葉紙用フィルム包装袋。
【請求項２】
前記長手部の長さが、前記包装部の上面部と前記両方の端部とを通って前記包装部を一周する長さのうち、前記上面部の長さを除いた長さよりも長い、
ことを特徴とする請求項１に記載の衛生用薄葉紙用フィルム包装袋。
【請求項３】
前記手提げ部の長さが、前記包装部を一周する長さのうち、前記上面部の長さを除いた長さとほぼ同一である、
ことを特徴とする請求項１に記載の衛生用薄葉紙用フィルム包装袋。
【請求項４】
前記長手部が、隙間を介して把持可能に前記包装部の上面部を渡って前記包装部の外周に仮留めされた、
ことを特徴とする請求項１から請求項３のいずれか１項に記載の衛生用薄葉紙用フィルム包装袋。
【請求項５】
前記衛生用薄葉紙が、ロール状トイレットペーパ、積層された薄葉紙またはこれらが収められたボックスティッシュ、および紙おむつ、である、
ことを特徴とする請求項１から請求項４のいずれか１項に記載の衛生用薄葉紙用フィルム包装袋。
【考案の詳細な説明】
【技術分野】
【０００１】
本考案は、例えばロール状トイレットペーパ、積層された薄葉紙が収められたボックスティッシュ、紙おむつ、などの衛生用薄葉紙の包装に用いられる衛生用薄葉紙用フィルム包装袋に関する。
【背景技術】
【０００２】
従来、衛生用薄葉紙用フィルム包装袋は、例えば積み上げられたロール状トイレットペーパなどを密封するために用いられている。この衛生用薄葉紙用フィルム包装袋は、ロール状トイレットペーパを包装することに加えて、持ち運びやすくするために手提げ部が備えられている。この手提げ部は包装袋の一部に形成された一片の手提げ片であり、例えば、指が通される孔が形成されているものや、把持できるようアーチ状に形成されているものなどがある。この衛生用薄葉紙用フィルム包装袋によれば、ロール状トイレットペーパの購入者は孔に指を通し、または把持し、手提げ部を介して衛生用薄葉紙用フィルム包装袋で包装されたロール状トイレットペーパを吊り上げて持ち運ぶことができる。
【考案の概要】
【考案が解決しようとする課題】
【０００３】
しかし、上記した、指が通される孔が形成され、またはアーチ状に形成された手提げ部が備えられた衛生用薄葉紙用フィルム包装袋によれば、ロール状トイレットペーパを持ち運ぶ際に手が塞がるため、他の購入品などの荷物を持つことができない場合がある。
【０００４】
また、この衛生用薄葉紙用フィルム包装袋によれば、持ち運ぶ時間が長い場合、ロール状トイレットペーパに作用する重力により、ロール状トイレットペーパを吊り上げて持ち運ぶ購入者の指が衛生用薄葉紙用フィルム包装袋の手提げ部を介して圧迫され、購入者に痛みを与える場合がある。
【０００５】
本考案は、上記の実情に鑑みて提案されたものである。すなわち、購入者が両手を開放して被包装物を快適に持ち運ぶことができる衛生用薄葉紙用フィルム包装袋の提供を目的とする。
【課題を解決するための手段】
【０００６】
上記目的を達成するために、本考案に係る衛生用薄葉紙用フィルム包装袋は、衛生用薄葉紙を包装した包装部と、この包装部が取り付けられて吊り下げられた手提げ部と、から構成された衛生用薄葉紙用フィルム包装袋において、前記手提げ部が、前記包装部に取り付けられる両方の端部と、この両方の端部間に連ねられた長手部と、から構成された帯状であり、前記長手部が携帯者の首または肩に掛けられて、前記両方の端部の間に挟まれた前記包装部が吊り下げられる、ことを特徴としている。
【０００７】
本考案に係る衛生用薄葉紙用フィルム包装袋は、前記長手部の長さが、前記包装部の上面部と前記両方の端部とを通って前記包装部を一周する長さのうち、前記上面部の長さを除いた長さよりも長い、ことを特徴としている。
【０００８】
本考案に係る衛生用薄葉紙用フィルム包装袋は、前記手提げ部の長さが、前記包装部を一周する長さのうち、前記上面部の長さを除いた長さとほぼ同一である、ことを特徴としている。
【０００９】
本考案に係る衛生用薄葉紙用フィルム包装袋は、前記長手部が、隙間を介して把持可能に前記包装部の上面部を渡って前記包装部の外周に仮留めされた、ことを特徴としている。
【００１０】
本考案に係る衛生用薄葉紙用フィルム包装袋は、前記衛生用薄葉紙が、ロール状ロール状トイレットペーパ、積層された薄葉紙またはこれらが収められたボックスティッシュ、および紙おむつ、である、ことを特徴としている。
【考案の効果】
【００１１】
本考案に係る衛生用薄葉紙用フィルム包装袋は、上記した構成である。したがって、購入者が両手を開放して被包装物を快適に持ち運ぶことができる。
【図面の簡単な説明】
【００１２】
【図１】本考案の第一実施形態に係る衛生用薄葉紙用フィルム包装袋の概略が示された図であり、（ａ）が手提げ部が収められた状態の概略図、（ｂ）が手提げ部が開放された状態の概略図、（ｃ）が手提げ部が収められたまま使用された状態の概略図、（ｄ）が手提げ部が開放されて使用された状態の概略図、および（ｅ）が斜視図である。
【図２】本考案の第二実施形態に係る衛生用薄葉紙用フィルム包装袋の概略が示された図であり、（ａ）が手提げ部が留められた状態の概略図、（ｂ）が手提げ部の一部が開放された状態の概略図、（ｃ）が手提げ部の全部が開放された状態の概略図、（ｄ）が手提げ部が収められたまま使用された状態の概略図、（ｅ）が手提げ部の一部が開放されて使用された状態の概略図、および（ｆ）が手提げ部の全部が開放されて使用された状態の概略図である。
【図３】本考案の第三実施形態に係る衛生用薄葉紙用フィルム包装袋の概略が示された図であり、（ａ）が手提げ部が留められた状態の概略図、（ｂ）が手提げ部が開放された状態の概略図、（ｃ）が手提げ部が留められて使用された状態の概略図、および（ｄ）が手提げ部が開放されて使用された状態の概略図である。
【考案を実施するための形態】
【００１３】
以下に、本考案の第一実施形態を図面に基づいて説明する。図１は、第一実施形態に係る衛生用薄葉紙用フィルム包装袋１０の概略が示されている。
【００１４】
図１において、第一実施形態に係る衛生用薄葉紙用フィルム包装袋１０は、衛生用薄葉紙としてのロール状のロール状トイレットペーパ１の包装に用いられる。衛生用薄葉紙として、例えばロール状のキッチンペーパ、ボックスティッシュ、おむつなどが挙げられる。
【００１５】
衛生用薄葉紙用フィルム包装袋１０は、ポリエステルなどのプラスチックフィルムであり、ロール状トイレットペーパ１を包装するための包装部１１、この包装部１１に、溶着などにより取り付けられた手提げ部２０、から構成されている。
【００１６】
包装部１１は、包装する衛生用薄葉紙の形状に応じて変形する。すなわち、本実施形態では、ロール状トイレットペーパ１が二つ並列させられると共に同軸上に三つ積み上げられてほぼ直方体に形成されているため、包装部１１は幅がロール状トイレットペーパ１を二つ並べた幅、高さがロール状トイレットペーパ１を三つ積み上げた高さとほぼ同じである。包装部１１は、一方の側面部である左側面部１２、他方の側面部である右側面部１３、手提げ部で吊り上げられる方の面である上面部１４、および上面部１４の逆側の面である底面部１５を有している。なお、上面部１４に従来の手提げ部２が取り付けられていてもよい。
【００１７】
手提げ部２０は長手の帯状であり、一方の端部である左端部２１、他方の端部である右端部２２、および長手部２３とから構成されている。両方の端部２１，２２は包装部１１の側面部１２，１３の上端側にそれぞれ取り付けられている。ここで、両方の端部２１，２２は、側面部１２，１３に取り付けられている部分である。すなわち、端部が長い場合、端部は帯状の先端部分だけでなく、側面部１２，１３に取り付けられた部分と取り付けられていない部分（長手部）との境界部分を含む。手提げ部２０の長さは、例えば約８６０ｍｍである。
【００１８】
長手部２３は、側面部１２，１３および底面部１５の外周に沿って収められている。長手部２３の長さは、包装部１１の外周に基づいている。すなわち、包装部１１の上面部１４と両方の端部２１，２２とを通って包装部１１を一周する長さ６（以下、“包装部を一周する長さ”と記す。）のうち、上面部１４の長さ５を除いた長さ４とほぼ同一である。具体的には、側面部１２，１３と底面部１５との長さの和にほぼ等しい。なお、長手部２３の長さは、包装部１１が包装する衛生用薄葉紙の形状に応じて変形することで適宜変更される。
【００１９】
次に、衛生用薄葉紙用フィルム包装袋１０の使用方法を説明する。
【００２０】
図１（ｃ）において、衛生用薄葉紙用フィルム包装袋１０は、長手部２３が収められたまま指が従来の手提げ部２に掛けられて吊り上げられる。
【００２１】
図１（ｂ）において、衛生用薄葉紙用フィルム包装袋１０は、長手部２３が解放されて上面部１４側に引き上げられる。長手部２３は、包装部１１を一周する長さ６のうち、上面部１４の長さ５を除いた長さ４とほぼ同一であるため、上面部１４の長さ５（図１（ａ）参照）側において包装部１１と長手部２３との間に空間ができる。図１（ｄ）において、長手部２３は携帯者の首、肩などに掛けられて包装部１１が吊り下げられる。包装部１１は側面部１２，１３の上端部が両方の端部２１，２２によって支持され、長手部２３によって吊り上げられる。なお、手提げ部２の長さや用途に応じて、腕に掛けてもよい。
【００２２】
次に、第二実施形態に係る衛生用薄葉紙用フィルム包装袋１１０を図面に基づいて説明する。図２は、第二実施形態に係る衛生用薄葉紙用フィルム包装袋１１０の概略が示されている。なお、以下では上記した第一実施形態と異なる構成のみの説明がなされ、同一の構成に関する説明が省略されている。
【００２３】
図２（ａ）において、第二実施形態に係る衛生用薄葉紙用フィルム包装袋１１０は、長手部１２３の長さが、包装部１１１を一周する長さ１０６のうち、上面部１１４の長さ１０５を除いた長さ１０４より長い。手提げ部１２０は、左端部１２１が包装部１１１の左側面部１１２の上端側に取り付けられ、右端部１２２が底面部１１５の右端側に取り付けられている。長手部１２３は、右側面部１１３に沿って張られると共に、隙間を介して把持可能に上面部１１４に沿って渡され、弛んだ一部が左端部１２１に折り重ねられて仮留めされている。長手部１２３は、一部が右側面部１１３の上端側でも仮留めされている。なお、長手部１２３の留め方は溶着などであり、包装部１１１から剥離することができる。
【００２４】
次に、衛生用薄葉紙用フィルム包装袋１１０の使用方法を説明する。
【００２５】
図２（ｄ）において、衛生用薄葉紙用フィルム包装袋１１０は、長手部１２３が収められたまま隙間を介して把持可能に上面部１１４に渡された長手部１２３に指が掛けられて吊り上げられる。
【００２６】
図２（ｂ）において、衛生用薄葉紙用フィルム包装袋１１０は、長手部１２３の左側面部１１２側が開放されて上面部１１４側に引き上げられる。長手部１２３が、包装部１１０を一周する長さ１０６のうち、上面部１１４の長さ１０５を除いた長さ１０４より長いため、上面部１１４の長さ１０５側において包装部１１０と長手部１２３との間に空間ができる。図２（ｅ）において、長手部１２３は肩などに掛けられて包装部１１１が吊り下げられる。包装部１１１は左側面部１１２の上端側と右側面部１１３の上端側とが左端部１２１と右側面部１１３の上端側によって支持され、長手部１２３によって吊り上げられる。
【００２７】
図２（ｃ）において、衛生用薄葉紙用フィルム包装袋１１０は、長手部１２３の右側面部１１３側が開放されて上面部１１４側および右側面部１１３側に引き上げられる。長手部１２３が、包装部１１０を一周する長さ１０６のうち、上面部１１４の長さ１０５を除いた長さ１０４より長いため、右側面部１１３側において包装部１１０と長手部１２３との間に空間ができる。図２（ｆ）において、長手部１２３は肩などにたすき掛けされて包装部１１１が吊り下げられる。包装部１１１は傾斜して左側面部１１２の上端側と底面部１１５の右端側とが両方の端部１２１，１２２によって支持され、長手部１２３によって吊り上げられる。
【００２８】
次に、第三実施形態に係る衛生用薄葉紙用フィルム包装袋２１０を図面に基づいて説明する。図３は、第三実施形態に係る衛生用薄葉紙用フィルム包装袋２１０の概略が示されている。なお、以下では上記した第一実施形態と異なる構成のみの説明がなされ、同一の構成に関する説明が省略されている。
【００２９】
図３（ａ）において、第三実施形態に係る衛生用薄葉紙用フィルム包装袋２１０は、長手部２２３の長さが、包装部２１１を一周する長さ２０６のうち、上面部２１４の長さ２０５を除いた長さ２０４とほぼ同一である。手提げ部２２０は、両方の端部２２１，２２２が包装部２１１の側面部２１２，２１３の上端側にそれぞれ取り付けられている。長手部２２３は隙間を介して把持可能に上面部２１４に沿って渡されると共に、一部が左側面部２１２に重ねて沿って張られ、下端側で留め部材３によって仮留めされている。留め部材３は、着脱が可能である。
【００３０】
次に、衛生用薄葉紙用フィルム包装袋２１０の使用方法を説明する。
【００３１】
図３（ｃ）において、衛生用薄葉紙用フィルム包装袋２１０は、長手部２２３が収められたまま隙間を介して把持可能に上面部２１４に渡された長手部２２３に指が掛けられて吊り上げられる。
【００３２】
図３（ｂ）において、衛生用薄葉紙用フィルム包装袋２１０は、留め部材３が外されて長手部２２３の左側面部２１２の下端が開放され、上面部２１４側に引き上げられる。長手部２２３が、包装部２１０を一周する長さ２０６のうち、上面部２１４の長さ２０５を除いた長さ２０４とほぼ同一であるため、上面部２１４の長さ２０５（図３（ａ）参照）側において包装部２１１と長手部２２３との間に空間ができる。図３（ｄ）において、長手部２２３は肩などに掛けられて包装部２１１が吊り下げられる。包装部２１１は側面部２１２，２１３の上端部が両方の端部２２１，２２２によって支持され、長手部２２３によって吊り上げられる。
【００３３】
次に、各実施形態に係る衛生用薄葉紙の効果を説明する。
【００３４】
上記したように、第一実施形態によれば、手提げ部２０が長手の帯状であり、長さが包装部１１を一周する長さ６のうち、上面部１４の長さ５を除いた長さ４とほぼ同一である。この構成により、包装部１１を一周する長さ６のうち、両上面部１４の長さ５を除いた長さ４側では、長手部２３と包装部１１との間が空かないため、長手部２３が包装部１１の外周に沿って収められる。したがって、店頭における販売時などにおいて長手部２３を収めておくことができる。
【００３５】
第一実施形態によれば、長手部２３が解放されて上面部１４側に引き上げられる。上面部１４の長さ５側では、包装部１１と長手部２３との間に空間ができるため、長手部２３がロール状トイレットペーパ１の購入者の肩などに掛けられる。したがって、ロール状トイレットペーパ１の購入者は両手を開放してロール状トイレットペーパ１を快適に持ち運ぶことができる。また、使用時にのみ長手部２３を開放して用いることができる。
【００３６】
第一実施形態によれば、長手部２３は側面部１２，１３および底面部１５の外周に沿って収められている。包装部１１の上面部１４に従来の長手部２が形成されている。この構成により、ロール状トイレットペーパ１が従来の手提げ部２、または手提げ部２０により吊り上げられる。したがって、ロール状トイレットペーパ１の購入者が、肩掛け、指掛けのいずれかの持ち運び方を選択することができる。
【００３７】
第二実施形態によれば、手提げ部１２０の左端部１２１が、包装部１１１の左側面部１１２の上端側に取り付けられ、右端部１２２が底面部１１５の右端側に取り付けられている。長手部１２３の長さは、包装部１１１を一周する長さ１０６のうち、上面部１１４の長さ１０５を除いた長さ１０４より長い。この構成により、図２（ｃ）において、衛生用薄葉紙用フィルム包装袋１１０は、長手部１２３の右側面部１１３側が開放されて上面部１１４側および右側面部１１３側に引き上げられる。長手部１２３が包装部１１０を一周する長さ１０６のうち、上面部１１４の長さ１０５より長いため、右側面部１１３側において包装部１１０と長手部１２３との間に空間ができる。長手部１２３は肩などにたすき掛けされて包装部１１１が吊り下げられる。したがって、ロール状トイレットペーパ１の購入者は両手を開放してロール状トイレットペーパ１を快適に持ち運ぶことができる。また、使用時にのみ長手部１２３を開放して用いることができる。
【００３８】
第二実施形態によれば、長手部１２３は、一部が右側面部１１３の上端側でも仮留めされている。この構成により、図２（ｂ）において、衛生用薄葉紙用フィルム包装袋１１０は、長手部１２３の左側面部１１２側が開放されて上面部１１４側に引き上げられる。長手部１２３が包装部１１０を一周する長さ１０６のうち、上面部１１４の長さ１０５より長いため、上面部１１４の長さ１０５側において包装部１１０と長手部１２３との間に空間ができる。長手部１２３は肩などに掛けられて包装部１１１が吊り下げされる。したがって、ロール状トイレットペーパ１の購入者が、肩掛け、たすき掛けのいずれかの持ち運び方を選択することができる。
【００３９】
第二実施形態によれば、長手部１２３は、右側面部１１３に沿って張られると共に、隙間を介して把持可能に上面部１１４に沿って渡され、弛んだ一部が左端部１２１に折り重ねられて仮留めされている。この構成により、衛生用薄葉紙用フィルム包装袋１１０は、長手部１２３が収められたまま隙間を介して把持可能に上面部１１４に渡された長手部１２３に指が掛けられて吊り上げられる。したがって、ロール状トイレットペーパ１の購入者が、肩掛け、たすき掛け、指掛けのいずれかの持ち運び方を選択することができる。
【００４０】
第三実施形態によれば、長手部２２３の長さが、包装部２１１を一周する長さ２０６のうち、上面部２１４の長さ２０５を除いた長さ２０４とほぼ同一である。この構成により、包装部２１０を一周する長さ２０６のうち、上面部２１４の長さ２０５（図３（ａ）参照）側において包装部２１１と長手部２２３との間に空間ができる。長手部２２３は肩などに掛けられて包装部２１１が吊り下げられる。したがって、ロール状トイレットペーパ１の購入者は両手を開放してロール状トイレットペーパ１を快適に持ち運ぶことができる。
【００４１】
第三実施形態によれば、長手部２２３は、隙間を介して把持可能に上面部２１４に沿って渡されると共に、一部が左側面部２１２に重ねて沿って張られ、下端側で留め部材３によって仮留めされている。この構成により、衛生用薄葉紙用フィルム包装袋２１０は、長手部２２３が収められたまま隙間を介して把持可能に上面部２１４に渡された長手部２２３に指が掛けられて吊り上げられる。したがって、従来の手提げ部２が付けられてなくてもロール状トイレットペーパ１の購入者が、肩掛け、指掛けのいずれかの持ち運び方を選択することができる。
【００４２】
以上、本考案の実施形態の一つを例示して詳述したが、本考案は上記実施形態に限定されるものではない。そして本考案は、実用新案登録請求の範囲に記載された事項を逸脱することがなければ、種々の設計変更を行うことが可能である。
【符号の説明】
【００４３】
１                      ロール状トイレットペーパ
２                      従来の手提げ部
３                      留め部材
４、１０４、２０４      包装部を一周する長さのうち上面部の長さを除いた長さ
５、１０５、２０５      包装部を一周する長さのうち上面部の長さ
１０、１１０、２１０    衛生用薄葉紙用包装袋
１１、１１１、２１１    包装部
１２、１１２、２１２    左側面部（側面）
１３、１１３、２１３    右側面部（側面）
１４、１１４、２１４    上面部
１５、１１５、２１５    底面部
２０、１２０、２２０    手提げ部
２１、１２１、２２１    左端部
２２、１２２、２２２    右端部
２３、１２３、２２３    長手部
６、１０６、２０６      包装部を一周する長さ
【図１】
0003181633.tif 000003
【図２】
0003181633.tif 000004
【図３】
0003181633.tif 000005